(57)【要約】【課題】貯液バッグを正しい向きで吸引器に確実に取り付けることができる貯液バッグの誤接続防止構造及び該貯液バッグと吸引器とを含む吸引装置の提供。【解決手段】入口１０と出口９とを有し、内部に入口から流入した液を貯める貯液部１２を有し、且つハンガー２３の係止部が挿通される取付穴２１，２２が穿設された貯液バッグ２０Ａの誤接続防止構造であって、前記バッグの取付穴２１，２２とハンガー係止部２４，２５とが前記バッグの中央よりも左側及び右側に設けられ、これら左右の取付穴の一方は、それと対応する側のハンガー係止部の先端部は挿通可能であるが反対側のハンガー係止部の先端部は挿通不可能とされたことを特徴とする貯液バッグ２０Ａの誤接続防止構造。【選択図】　図３
2004024333.tif 000002
【特許請求の範囲】
【請求項１】
入口と出口とを有し、内部に入口から流入した液を貯める貯液部を有し、且つハンガーの係止部が挿通される取付穴が穿設された貯液バッグの誤接続防止構造であって、
前記バッグの取付穴と前記ハンガー係止部とが前記バッグの中央よりも左側及び右側に設けられ、これら左右の取付穴の一方は、それと対応する側のハンガー係止部の先端部は挿通可能であるが反対側のハンガー係止部の先端部は挿通不可能とされたことを特徴とする貯液バッグの誤接続防止構造。
【請求項２】
前記左右の取付穴の直径が異なるとともに、左右いずれかのハンガー係止部の先端部直径が対応する側の取付穴に挿通可能であるが、対応しない側の取付穴は挿通不可能である請求項１記載の貯液バッグの誤接続防止構造。
【請求項３】
前記左右の取付穴の形状が異なるとともに、左右いずれかのハンガー係止部の先端部が対応する側の取付穴に挿通可能であるが、対応しない側の取付穴は挿通不可能である請求項１記載の貯液バッグの誤接続防止構造。
【請求項４】
入口と出口とを有し、内部に入口から流入した液を貯める貯液部を有し、且つハンガーの係止部が挿通される取付穴が穿設された貯液バッグの誤接続防止構造であって、
前記取付穴とそれに対応するハンガー係止部とが水平方向に並ぶ３つ以上とされ、中央の取付穴とそれに対応するハンガー係止部の位置が、最外側の左右の取付穴の間の中心から離間して設けられたことを特徴とする貯液バッグの誤接続防止構造。
【請求項５】
請求項１〜４のいずれか１項記載の貯液バッグの誤接続防止構造を有する、貯液バッグと、ハンガーを有する吸引器とを含む吸引装置。
【発明の詳細な説明】
【０００１】
【発明の属する技術分野】
本発明は、胸腔、腹腔内に貯留した排出液や分泌物、あるいは血液等を体外に誘導する貯液バッグとそれを取り付ける吸引器とからなる吸引装置に関し、特に貯液バッグの表裏を逆に取り付ける誤接続を防止するための簡単な誤接続防止手段を備えた貯液バッグの誤接続防止構造及び吸引装置に関する。
【０００２】
【従来の技術】
胸腔、腹腔内に貯留した排出液や分泌物、あるいは血液等を体外に誘導する吸引装置として、例えば図１に示すような吸引装置が提供されている。
図１に示す吸引装置は、吸引装置の本体をなす吸引器１と、該吸引器１に着脱自在に取り付けられた交換容易な貯液バッグ２とを備えて構成されている。
この吸引器１は、上部に設けられた取手３と正面側にパネル部４が設けられた外装体５内に、図示されない吸引ポンプ、ドレーンタンク、圧力センサ、バッテリーおよび制御部等が内蔵されて構成されている。また該外装体５には、パネル部４に隣接して設けられた吸引チューブ接続口６が設けられ、該接続口には吸引チューブ７が接続されている。さらに、該外装体５の正面には、貯液バッグ２を着脱自在に取り付けるためのハンガー８が設けられている。
この吸引器１は、ハンガー８に貯液バッグ２を取り付け、該貯液バッグ２の出口９に吸引チューブ７先端を接続し、貯液バッグ２の入口１０に接続した図示しないチューブを患者の胸腔、腹腔内等の貯留液を排出するべき部位に挿入し、吸引器１のスイッチをＯＮとして吸引ポンプを駆動させることで、予め設定した吸引圧で貯留液を貯液バッグ２内に吸引し、貯液するように作動する。
【０００３】
図２は、上記吸引器１に取り付けられる貯液バッグの一例を示す図である。ここに例示した貯液バッグ２は、主要部が透明な合成樹脂からなる箱状中空体をなすバッグ本体１１と、その一方側（図２においては左側）に突出形成された入口１０と、他方側（図２においては右側）に突出形成された出口９とを備えて構成されている。該バッグ本体１１は、複数段の貯液部が形成されるよう区画され、入口１０側には患者から排出された貯留液が溜まる１または複数段の貯液部１２が設けられ、出口９側には水封用に一定量の水が入れられる水封部１３が設けられている。また該バッグ本体１１の一方の面（表面）には、貯留液の液量を目視測定するための目盛りが表示されている。
また該バッグ本体１１の上縁部には、上記ハンガー８の複数のハンガー係止部１４の先端部が挿通可能な取付穴１５が穿設されている。貯液バッグ２を吸引器１に取り付ける際には、これらの取付穴１５を吸引器１側のハンガー係止部１４の先端部に通し、貯液バッグ２を吸引器１側に挿入移動させることで、簡単に取り付けることができる。
【０００４】
【発明が解決しようとする課題】
上述した貯液バッグ２は、入口１０側の貯液部１２は比較的貯液容積が大きく、一方出口９側の水封部１３は貯液容積が小さく設定されている。従って、万一、貯液バッグ２が表裏反対に取り付け（目盛り表示のある表側を吸引器１と接する側に向けて取り付け）てしまった場合、貯液容積が小さい水封部１３に患者からの排出液等が流入し、排出液量にもよるが、直ぐに水封部１３が満杯になって貯液バッグ２を新品と交換しなければならない。
上述した吸引装置にあっては、貯液バッグ２の表面側に目盛り等を表示することによって表面側と裏面側を区別しており、また入口１０側と出口９側の色を変えるなどによって、貯液バッグ２が正しい向きで吸引器１に取り付けられるようにしているが、従来品は貯液バッグ２を表裏反対に吸引器１に取り付け可能であったことから、貯液バッグ２の上記取り付けミスは完全に防止できなかった。
【０００５】
本発明は上記事情に鑑みてなされたもので、貯液バッグを正しい向きで吸引器に確実に取り付けることができる貯液バッグの誤接続防止構造及び該貯液バッグと吸引器とを含む吸引装置の提供を目的としている。
【０００６】
【課題を解決するための手段】
前記目的を達成するために、本発明は、入口と出口とを有し、内部に入口から流入した液を貯める貯液部を有し、且つハンガーの係止部が挿通される取付穴が穿設された貯液バッグの誤接続防止構造であって、前記バッグの取付穴と前記ハンガー係止部とが前記バッグの中央よりも左側及び右側に設けられ、これら左右の取付穴の一方は、それと対応する側のハンガー係止部の先端部は挿通可能であるが反対側のハンガー係止部の先端部は挿通不可能とされたことを特徴とする貯液バッグの誤接続防止構造を提供する。
本発明の貯液バッグの誤接続防止構造において、前記左右の取付穴の直径が異なるとともに、左右いずれかのハンガー係止部の先端部直径が対応する側の取付穴に挿通可能であるが、対応しない側の取付穴は挿通不可能である構成としてよい。
本発明の貯液バッグの誤接続防止構造において、前記左右の取付穴の形状が異なるとともに、左右いずれかのハンガー係止部の先端部が対応する側の取付穴に挿通可能であるが、対応しない側の取付穴は挿通不可能である構成としてよい。
また本発明は、入口と出口とを有し、内部に入口から流入した液を貯める貯液部を有し、且つハンガーの係止部が挿通される取付穴が穿設された貯液バッグの誤接続防止構造であって、前記取付穴とそれに対応するハンガー係止部とが水平方向に並ぶ３つ以上とされ、中央の取付穴とそれに対応するハンガー係止部の位置が、最外側の左右の取付穴の間の中心から離間して設けられたことを特徴とする貯液バッグの誤接続防止構造を提供する。
さらに本発明は、上記貯液バッグの誤接続防止構造を有する、貯液バッグと、ハンガーを有する吸引器とを含む吸引装置を提供する。
【０００７】
【発明の実施の形態】
以下、本発明を図面を参照して説明する。
（第１実施形態）
図３は本発明による貯液バッグの誤接続防止構造の第１実施形態を示す図である。本実施形態において、貯液バッグ２０Ａは、入口１０と出口９を有し、内部に入口から流入した液を貯める貯液部１２を有し、且つ吸引器１のハンガー２３に突出形成されたハンガー係止部２４，２５が挿通される取付穴２１，２２が穿設されている。貯液バッグ２０Ａの取付穴２１，２２とハンガー係止部２４，２５とは左と右に設けられ、一方の取付穴２２は、それと対応するハンガー係止部２５の先端部は挿通可能であるが反対側のハンガー係止部２４の先端部は挿通不可能となるよう構成されている。具体的には、図３に示すように本実施形態では、貯液バッグ２０Ａの入口１０側の取付穴２１の直径を、出口９側の取付穴２２の直径よりも大きくするとともに、左右のハンガー係止部２４，２５を、対応する取付穴２１，２２に合わせてそれらの先端部直径を違えている。
【０００８】
貯液バッグ２０Ａの上記取付穴２１，２２以外の構成は、特に限定されず、種々の大きさ、容量および構造を有する貯液バッグや貯血バッグを用いることができる。貯液バッグ２０Ａとしては、主要部が透明な合成樹脂からなる箱状中空体をなすバッグ本体１１と、その一方側（図２においては左側）に突出形成された入口１０と、他方側（図２においては右側）に突出形成された出口９とを備えて構成された図２に示す貯液バッグ２等が好適に使用される。
【０００９】
該貯液バッグ２０が取り付けられる吸引器１は、先端部の直径が左右で異なるハンガー係止部２４，２５を有するハンガー２３以外の構成は、図１に示す吸引器１と同様に構成することができ、あるいは類似の機能を有する別の機器を使用してもよい。図１に示す吸引器１は上部に設けられた取手３と正面側にパネル部４が設けられた外装体５内に、図示されない吸引ポンプ、ドレーンタンク、圧力センサ、バッテリーおよび制御部等が内蔵されて構成されている。また該外装体５には、パネル部４に隣接して設けられた吸引チューブ接続口６が設けられ、該接続口には吸引チューブ７が接続されている。上記パネル部４には、例えば警報音解除スイッチ、リーク表示器、高陰圧表示器、設定吸引圧表示器、設定圧変更用スイッチ、ロックスイッチ、ライトスイッチ、吸引モード変更用スイッチ、駆動表示器、電源ＯＮ／ＯＦＦスイッチ、およびバッテリー運転表示器などの表示やスイッチ類が設けられている。
【００１０】
本実施形態では、貯液バッグ２０Ａに穿設された左右の取付穴２１，２２の直径を違えるとともに、対応するハンガー係止部２４，２５の先端部の直径を左右で違え、一方の取付穴２２（または２１）は、それと対応するハンガー係止部２５（または２４）の先端部は挿通可能であるが反対側のハンガー係止部２４（または２５）の先端部は挿通不可能となる構成としたので、貯液バッグ２０Ａを吸引器１に取り付ける際に、目盛りが表示された表面側を通常（表示面が吸引器１と接しない側）の向きで取り付ける場合には、直径の大きな左側のハンガー係止部２４に直径の大きな左側（入口１０側）の取付穴２１が挿通されるとともに、直径の小さい右側のハンガー係止部２５に直径の小さい右側（出口９側）の取付穴２２が挿通されて、貯液バッグ２０Ａが吸引器１に取り付けられる。一方、貯液バッグ２０Ａを誤って上記通常の向きとは逆に（表示面が吸引器１と接する側）向けた状態でハンガー２３に取り付けようとした場合、出口９側の直径の小さい取付穴２２が、直径の大きい右側のハンガー係止部２４に対するため、出口９側の直径の小さい取付穴２２はハンガー係止部２４を挿通することができず、このため貯液バッグ２０Ａが吸引器１に取り付けられなくなる。
このように本実施形態の貯液バッグ２０Ａの誤接続防止構造によれば、貯液バッグ２０Ａを通常とは逆の向きで吸引器１に取り付ける誤接続を防止できるので、貯液バッグ２０Ａを誤接続した場合の貯液性能の低下などの不具合をなくし、貯液バッグ２０Ａの無駄を無くすことができる。
【００１１】
（第２実施形態）
図４は本発明による貯液バッグの誤接続防止構造の第２実施形態を示す図である。本実施形態において、貯液バッグ２０Ｂは、上記第１実施形態による貯液バッグ２０Ａとほぼ同様の構成要素を備えて構成されている。
本実施形態の貯液バッグ２０Ｂは、左右の取付穴２６，２７の形状が異なるとともに、左右いずれかのハンガー係止部（図示略）の先端部が対応する側の取付穴２６，２７に挿通可能であるが、対応しない側の取付穴２６，２７は挿通不可能な構造を有している。具体的には、図４に示すように、貯液バッグ２０Ｂの入口１０側（左側）の取付穴２６は横長の長丸状に穿設し、且つ出口９側（右側）の取付穴２７は縦長の長丸状に穿設している。また図示していないが、ハンガーの左右のハンガー係止部の先端部も、これら左右の取付穴２６，２７に合致する形状とされている。なお、取付穴２６，２７および対応する係止部の先端形状は本例示に限定されることなく、左右の形状が異なる組み合わせであればよく、好ましくは貯液バッグ２０Ｂを通常の向きでハンガー係止部に取り付ける場合には、ハンガー係止部を挿通可能であるが、反対の向きで取り付けた場合には両方の取付穴がハンガー係止部を挿通不可能な形状の組み合わせとされる。例えば長手方向の向きを違えた長丸、楕円、三角形、四角形、菱形、台形、５角形以上の多角形とすることが可能である。あるいは左右いずれか一方の取付穴が円形であり、他方を非円形とするような組み合わせも可能である。
【００１２】
本実施形態による貯液バッグの誤接続防止構造は、取付穴２６，２７の形状および対応するハンガー係止部の先端部形状を、左右で違えたことにより、貯液バッグ２０Ｂを吸引器１に取り付ける際に、目盛りが表示された表面側を通常（表示面が吸引器１と接しない側）の向きで取り付ける場合には、先端部が横長に形成された左側のハンガー係止部に横長の左側（入口１０側）の取付穴２６が挿通されるとともに、縦長の右側のハンガー係止部に縦長の右側（出口９側）の取付穴２７が挿通されて、貯液バッグ２０Ｂが吸引器１に取り付けられる。一方、貯液バッグ２０Ｂを誤って上記通常の向きとは逆に（表示面が吸引器１と接する側）向けた状態でハンガーに取り付けようとした場合、出口９側の縦長の取付穴２７が横長の先端部を持った左側のハンガー係止部に対して挿通不可能となり、また入口１０側の横長の取付穴２６が縦長の先端部を持った右側のハンガー係止部に対して挿通不可能となり、このため貯液バッグ２０Ｂが吸引器１に取り付けられなくなる。
このように本実施形態の貯液バッグ２０Ｂの誤接続防止構造によれば、貯液バッグ２０Ｂを通常とは逆の向きで吸引器１に取り付ける誤接続を防止できるので、貯液バッグ２０Ｂを誤接続した場合の貯液性能の低下などの不具合をなくし、貯液バッグ２０Ｂの無駄を無くすことができる。
【００１３】
（第３実施形態）
図５は本発明による貯液バッグの誤接続防止構造の第３実施形態を示す図である。本実施形態において、貯液バッグ２０Ｃは、上記第１実施形態による貯液バッグ２０Ａとほぼ同様の構成要素を備えて構成されている。
本実施形態の貯液バッグ２０Ｃは、水平に並ぶ３つの取付穴２８〜３０を、これらの取付穴２８〜３０のうち、中央の取付穴２９を、左右の取付穴２８，３０の中心を結ぶ線分Ｌの中心（左右の取付穴２８，３０から１／２　Ｌだけ離れた位置）からずらせて穿設するとともに、図示しないハンガーに、これらの取付穴２８〜３０に対応する３つのハンガー係止部を設けた構成になっている。なお、取付穴２８〜３０の形成個数は３つより多くてもよいし、それらの取付穴の配置は最外側の取付穴２８，３０を結ぶ線の中心から外れた位置に少なくとも１つの取付穴２９が穿設されていればよい。
【００１４】
本実施形態による貯液バッグの誤接続防止構造は、水平に並ぶ３つの取付穴２８〜３０を、これらの取付穴２８〜３０のうち、中央の取付穴２９を、左右の取付穴２８，３０の中心を結ぶ線分Ｌの中心からずらせて穿設するとともに、図示しないハンガーに、これらの取付穴２８〜３０に対応する３つのハンガー係止部を設けた構成としたことにより、貯液バッグ２０Ｃを吸引器１に取り付ける際に、目盛りが表示された表面側を通常（表示面が吸引器１と接しない側）の向きで取り付ける場合には、３つの取付穴２８〜３０にそれぞれ対応するハンガー係止部が挿入され、貯液バッグ２０Ｃが吸引器１に取り付けられる。一方、貯液バッグ２０Ｃを誤って上記通常の向きとは逆に（表示面が吸引器１と接する側）向けた状態でハンガーに取り付けようとした場合、中心から離間した位置に設けられた中央のハンガー係止部と、貯液バッグ２０Ｃの中央の取付穴２９とが離れているために挿通不可能となり、このため貯液バッグ２０Ｃが吸引器１に取り付けられなくなる。
このように本実施形態の貯液バッグ２０Ｃの誤接続防止構造によれば、貯液バッグ２０Ｃを通常とは逆の向きで吸引器１に取り付ける誤接続を防止できるので、貯液バッグ２０Ｃを誤接続した場合の貯液性能の低下などの不具合をなくし、貯液バッグ２０Ｃの無駄を無くすことができる。
【００１５】
【発明の効果】
本発明によれば、貯液バッグを通常とは逆の向きで吸引器に取り付ける誤接続を防止できるので、貯液バッグを誤接続した場合の貯液性能の低下などの不具合をなくし、貯液バッグの無駄を無くすことができる。
【図面の簡単な説明】
【図１】従来の吸引装置を例示する斜視図である。
【図２】従来の貯液バッグを例示する斜視図である。
【図３】本発明の貯液バッグの誤接続防止構造の第１実施形態を示す斜視図である。
【図４】本発明の貯液バッグの誤接続防止構造の第２実施形態を示す要部正面図である。
【図５】本発明の貯液バッグの誤接続防止構造の第３実施形態を示す要部正面図である。
【符号の説明】
１　　吸引器
９　　出口
１０　入口
１２　貯液部
２０Ａ〜Ｃ　貯液バッグ
２１，２２，２６，２７，２８〜３０　取付穴
２３　ハンガー
２４，２５　ハンガー係止部
【図１】
2004024333.tif 000003
【図２】
2004024333.tif 000004
【図３】
2004024333.tif 000005
【図４】
2004024333.tif 000006
【図５】
2004024333.tif 000007